(57)【要約】【解決手段】相対向する刃先部５ａ，６ａを頭端部に有する上下両刃部５，６を上下両把持部８，７により操作して上下両刃先部５ａ，６ａを互いに接近離間させるようにし、上側刃部５と下側把持部７とからなる刀身１と下側刃部６と上側把持部８とからなる刀身２とを互いに交差させてそれらの間の交差部３で回動可能に支持し、上下両把持部８，７に対する閉動操作に伴い上下両刃部５，６が互いに閉動することにより上下両刃先部５ａ，６ａが互いに接近するとともに、上下両把持部８，７に対する開動操作に伴い上下両刃部５，６が互いに開動することにより上下両刃先部５ａ，６ａが互いに離間し、上下両刃部５，６の刃先部５ａ，６ａと交差部３の回動中心線４ａとを結ぶ面Ｐ５，Ｐ６よりも、交差部３の回動中心線４ａと上下両把持部８，７の尻端部８ａ，７ａとを結ぶ面Ｑ８，Ｑ７を、上方に配置している。【効果】上下両把持部８，７を操作し易い。【選択図】図１
2009207819.tif 000002
【特許請求の範囲】
【請求項１】
互いに対向する刃先部を頭端部に有する上下両刃部を上下両把持部により操作してその上下両刃先部を互いに接近離間させるようにした爪切りにおいて、下側の把持部及び上側の把持部を上下両刃部よりも上方に配置したことを特徴とする爪切り。
【請求項２】
前記上下両刃部の延設方向に対し前記下側の把持部の延設方向を上方へ屈曲させたことを特徴とする請求項１に記載の爪切り。
【請求項３】
前記上側の刃部の延設方向または下側の刃部の延設方向に対する前記下側の把持部の延設方向の交差角度を３０度以上１５０度以下に設定したことを特徴とする請求項１または請求項２に記載の爪切り。
【請求項４】
前記上側の刃部と前記下側の把持部とからなる刀身と前記下側の刃部と前記上側の把持部とからなる刀身とを互いに交差させてそれらの間の交差部で回動可能に支持し、この上下両把持部に対する閉動操作に伴いこの上下両刃部が互いに回動して閉動することにより上下両刃先部が互いに接近するとともに、この上下両把持部に対する開動操作に伴いこの上下両刃部が互いに回動して開動することにより上下両刃先部が互いに離間することを特徴とする請求項１または請求項２または請求項３に記載の爪切り。
【請求項５】
互いに対向する刃先部を頭端部に有する上下両刃部を上下両把持部により操作してその上下両刃先部を互いに接近離間させるようにした爪切りにおいて、
前記上側の刃部と前記下側の把持部とからなる刀身と前記下側の刃部と前記上側の把持部とからなる刀身とを互いに交差させてそれらの間の交差部で回動可能に支持し、この上下両把持部に対する閉動操作に伴いこの上下両刃部が互いに回動して閉動することにより上下両刃先部が互いに接近するとともに、この上下両把持部に対する開動操作に伴いこの上下両刃部が互いに回動して開動することにより上下両刃先部が互いに離間し、
この上下両刃部の刃先部と前記交差部の回動中心線とを結ぶ面よりも、この交差部の回動中心線と上下両把持部の尻端部とを結ぶ面を、上方に配置した
ことを特徴とする爪切り。
【発明の詳細な説明】
【技術分野】
【０００１】
本発明は、互いに対向する刃先部を頭端部に有する上下両刃部を上下両把持部により操作してその上下両刃先部を互いに接近離間させるようにした爪切りにおいて、上下両把持部の改良に関するものである。
【背景技術】
【０００２】
従来、下記特許文献１にかかる爪切りでは、上側刃部と下側把持部とからなる刀身と下側刃部と上側把持部とからなる刀身とを互いにＸ状に交差させてそれらの間の交差部で回動可能に支持し、この上下両把持部に対する閉動操作に伴いこの上下両刃部が互いに回動して閉動することにより上下両刃先部が互いに接近するとともに、この上下両把持部に対する開動操作に伴いこの上下両刃部が互いに回動して開動することにより上下両刃先部が互いに離間する。
【特許文献１】実公昭４０−２２７５０号公報
【発明の開示】
【発明が解決しようとする課題】
【０００３】
上記特許文献１にかかる爪切りでは、床等に足を載せた状態で上下両刃部の刃先部間に足指の爪を挿入した後に上下両把持部を手指で把持して開閉操作する際、上下両把持部が床等の近くに位置すると、その手指が床等に当って上下両把持部を操作しにくい。
【０００４】
この発明は、各種爪切りで上下両把持部を改良して各種使用状態で上下両把持部を操作し易くすることを目的としている。
【課題を解決するための手段】
【０００５】
後記実施形態の図面（特に図１〜４）の符号を援用して本発明を説明する。
請求項１の発明にかかる爪切りにおいては、互いに対向する刃先部５ａ，６ａを頭端部に有する上下両刃部５，６を上下両把持部８，７により操作してその上下両刃先部５ａ，６ａを互いに接近離間させるようにし、下側把持部７及び上側把持部８を上下両刃部５，６よりも上方に配置している。
【０００６】
請求項１の発明を前提とする請求項２の発明においては、前記上下両刃部５，６の延設方向に対し前記下側把持部７の延設方向を上方へ屈曲させている。
請求項１または請求項２の発明を前提とする請求項３の発明においては、前記上側刃部５の延設方向または下側刃部６の延設方向に対する前記下側把持部７の延設方向の交差角度θ７５，θ７６を３０度以上１５０度以下に設定している。
【０００７】
請求項１または請求項２または請求項３の発明を前提とする請求項４の発明においては、前記上側刃部５と前記下側把持部７とからなる刀身１と前記下側刃部６と前記上側把持部８とからなる刀身２とを互いに交差させてそれらの間の交差部３で回動可能に支持し、この上下両把持部８，７に対する閉動操作に伴いこの上下両刃部５，６が互いに回動して閉動することにより上下両刃先部５ａ，６ａが互いに接近するとともに、この上下両把持部８，７に対する開動操作に伴いこの上下両刃部５，６が互いに回動して開動することにより上下両刃先部５ａ，６ａが互いに離間する。
【０００８】
請求項５の発明にかかる爪切りにおいては、互いに対向する刃先部５ａ，６ａを頭端部に有する上下両刃部５，６を上下両把持部８，７により操作してその上下両刃先部５ａ，６ａを互いに接近離間させるようにし、前記上側刃部５と前記下側把持部７とからなる刀身１と前記下側刃部６と前記上側把持部８とからなる刀身２とを互いに交差させてそれらの間の交差部３で回動可能に支持し、この上下両把持部８，７に対する閉動操作に伴いこの上下両刃部５，６が互いに回動して閉動することにより上下両刃先部５ａ，６ａが互いに接近するとともに、この上下両把持部８，７に対する開動操作に伴いこの上下両刃部５，６が互いに回動して開動することにより上下両刃先部５ａ，６ａが互いに離間し、この上下両刃部５，６の刃先部５ａ，６ａと前記交差部３の回動中心線４ａとを結ぶ面Ｐ５，Ｐ６よりも、この交差部３の回動中心線４ａと上下両把持部８，７の尻端部８ａ，７ａとを結ぶ面Ｑ８，Ｑ７を、上方に配置している。
【０００９】
次に、請求項以外の技術的思想について実施形態の図面の符号を援用して説明する。
請求項２の発明を前提とする第６の発明においては、前記上下両刃部５，６の延設方向に対し前記上側把持部８の延設方向を上方へ屈曲させている。
【００１０】
請求項３の発明を前提とする第７の発明においては、前記下側刃部６の延設方向に対する前記上側把持部８の延設方向の交差角度θ８６を３５度以上１６０度以下に設定している。
【００１１】
第６の発明及び第７の発明では、請求項１〜３の発明と同様な効果を発揮させることができる。
請求項４または請求項５の発明を前提とする第８の発明において、前記下側把持部７の延設方向はその尻端部７ａ側で湾曲部分７ｂにより下方へ湾曲している。第８の発明では、下側把持部７を把持し易い。
【００１２】
第８の発明を前提とする第９の発明において、前記上側刃部５と前記下側把持部７とからなる刀身１で屈曲部１０を設け、その屈曲部１０の延設方向は湾曲部分１０ａにより上方へ湾曲している。第９の発明では、下側把持部７を上下両刃部５，６よりも上方に配置させ易い。
【００１３】
第９の発明を前提とする第１０の発明において、前記屈曲部１０の湾曲部分１０ａの曲率半径は前記下側把持部７の湾曲部分７ｂの曲率半径よりも小さく設定されている。第１０の発明では、下側把持部７を上下両刃部５，６よりも上方に配置させ易いとともに、下側把持部７を把持し易い。
【００１４】
請求項４または請求項５の発明、または第８の発明、または第９の発明、または第１０の発明を前提とする第１１の発明において、前記上側把持部８の延設方向はその尻端部８ａ側で湾曲部分８ｂにより下方へ湾曲している。第１１の発明では、上側把持部８を把持し易い。
【００１５】
第１１の発明を前提とする第１２の発明においては、前記下側刃部６と前記上側把持部８とからなる刀身２で屈曲部２０を設け、その屈曲部２０の延設方向は湾曲部分２０ａにより上方へ湾曲している。第１２の発明では、上側把持部８を上下両刃部５，６よりも上方に配置させ易い。
【００１６】
第１２の発明を前提とする第１３の発明において、前記屈曲部２０の湾曲部分２０ａの曲率半径は前記上側把持部８の湾曲部分８ｂの曲率半径よりも小さく設定されている。第１３の発明では、上側把持部８を上下両刃部５，６よりも上方に配置させ易いとともに、上側把持部８を把持し易い。
【００１７】
第９の発明または第１０の発明または第１２の発明または第１３の発明を前提とする第１４の発明においては、前記両刀身１，２の交差部３に前記屈曲部１０，２０を設けている。第１４の発明では、下側把持部７の全体や上側把持部８の全体を上下両刃部５，６よりも上方に配置させ易い。
【００１８】
請求項４または請求項５の発明、または、第８の発明から第１４の発明のうちいずれか一つの発明を前提とする第１５の発明においては、前記両刀身１，２間の交差部３で一方の刀身１に交差孔１１を設け、他方の刀身２の把持部８には指当部１９を設けるとともにその指当部１９と刃部６との間でその指当部１９よりも幅狭の挿通部２１を設け、この交差孔１１は他方の刀身２の指当部１９及び挿通部２１を挿通することができ、この交差孔１１に他方の刀身２の指当部１９を挿通してこの交差孔１１で他方の刀身２の挿通部２１を回動させることにより、他方の刀身２の挿通部２１をこの交差孔１１に挿通して両刀身１，２を互いに交差させている。
【００１９】
第１５の発明を前提とする第１６の発明において、前記交差孔１１には、他方の刀身２の指当部１９及び挿通部２１を共に回動させることができない幅狭部１２を設けるとともに、他方の刀身２の指当部１９を回動させることはできないが他方の刀身２の挿通部２１を回動させることができる幅広部１３を設け、この交差孔１１に他方の刀身２の指当部１９を挿通してこの交差孔１１の幅広部１３で他方の刀身２の挿通部２１を回動させることにより、他方の刀身２の挿通部２１をこの交差孔１１に挿通して両刀身１，２を互いに交差させている。
【００２０】
第１５〜１６の発明では、両刀身１，２の上下両刃部５，６や上下両刃部７，８を形成した後でも、両刀身１，２を容易に組み付けることができる。
請求項４または請求項５の発明、または、第８の発明から第１６の発明のうちいずれか一つの発明を前提とする第１７の発明においては、前記上下両刃部５，６の刃先部５ａ，６ａと前記交差部３の回動中心線４ａとの間の距離よりも、この交差部３の回動中心線４ａと前記上下両把持部８，７の尻端部８ａ，７ａとの間の距離を、長くしている。第１７の発明では、上下両把持部８，７を小さな力で操作し易い。
【００２１】
請求項４または請求項５の発明、または、第８の発明から第１７の発明のうちいずれか一つの発明を前提とする第１８の発明において、前記上下両把持部８，７間にはこの上下両把持部８，７の尻端部８ａ，７ａと前記交差部３の回動中心線４ａとの間でこの上下両把持部８，７を互いに開動させるように付勢する付勢手段１４を設けている。第１８の発明では、付勢手段１４により上下両把持部８，７を操作し易い。
【発明の効果】
【００２２】
請求項１〜３の発明では、上下両刃部５，６の刃先部５ａ，６ａ間に足指の爪２３や手指の爪２４を挿入した後に上下両把持部８，７を別の手指により把持して開閉操作すると、上下両刃先部５ａ，６ａが開閉してそれらの爪２３，２４を切ることができ、その際、それらの爪２３，２４の伸長方向に対し上下両把持部８，７が傾斜するため、例えば上下両把持部８，７が床等の障害物２２の近くに位置する場合、その上下両把持部８，７を把持した手指が床等の障害物２２に当りにくくなって上下両把持部８，７を操作し易い。従って、各種爪切りにおいて、各種使用状態で上下両把持部８，７が操作し易くなる。
【００２３】
請求項４の発明では、上側刃部５と下側把持部７とからなる刀身１と下側刃部６と上側把持部８とからなる刀身２とを互いに交差させて回動可能に支持した形式の爪切りにおいて、請求項１〜３の発明と同様な効果を発揮させることができる。
【００２４】
請求項５の発明では、上側刃部５と下側把持部７とからなる刀身１と下側刃部６と上側把持部８とからなる刀身２とを互いに交差させて回動可能に支持した形式の爪切りにおいて、請求項１〜３の発明と同様な効果を発揮させることができる。
【発明を実施するための最良の形態】
【００２５】
以下、本発明の一実施形態にかかる爪切りについて図１〜４を参照して説明する。
図１及び図２（ａ）（ｂ）（ｃ）に示すように、第一刀身１と第二刀身２とが互いにＸ状に交差してそれらの間の交差部３に挿着された支軸４により回動可能に支持され、この支軸４よりも先端側で第一刀身１に上側刃部５が設けられているとともに第二刀身２に下側刃部６が設けられ、この支軸４よりも基端側で第一刀身１に下側把持部７が設けられているとともに第二刀身２に上側把持部８が設けられている。この上側刃部５の頭端部に刃先部５ａが形成されているとともにこの下側刃部６の頭端部に刃先部６ａが形成され、それらの刃先部５ａ，６ａが相対向して屈曲されている。
【００２６】
前記第一刀身１においては、下側把持部７に指当部９が設けられ、上側刃部５に対しこの指当部９が交差部３で屈曲部１０を介して連続し、この屈曲部１０の付近に交差孔１１が形成されている。この第一刀身１は、前記支軸４の回動中心線４ａに沿う幅方向Ｙで、この上側刃部５の幅寸法Ｗ５と屈曲部１０の幅寸法Ｗ１０と指当部９の幅寸法Ｗ９とが略同一（約１８ｍｍ）になるように、上側刃部５の刃先部５ａから屈曲部１０を経て下側把持部７の尻端部７ａにわたり一連に、ステンレス鋼等の金属材料でプレス成形や鍛造や金属粉末射出成形（ＭＩＭ）等により一体形成されている。
【００２７】
この交差孔１１は、第一刀身１の長手方向へ延び、一定の幅寸法Ｗ１２（約７ｍｍ）で長手方向へ延びる幅狭部１２と、この幅狭部１２の端部に対し下側把持部７側で連続してこの幅狭部１２の幅寸法Ｗ１２よりも大きい幅寸法（最大直径）Ｗ１３（約１０ｍｍ）を有する幅広部１３とからなる。この下側把持部７において上側把持部８に面する内側には交差部３の回動中心線４ａと下側把持部７の尻端部７ａとの間でこの上下両把持部８，７を互いに開動させるように付勢する付勢手段１４が設けられている。この付勢手段１４については、その内側に形成された凹部１５に蓋体１６が嵌着され、その蓋体１６内に圧縮コイルばね１７と押圧体１８とが嵌め込まれてその圧縮コイルばね１７により付勢された押圧体１８が蓋体１６外に突出している。
【００２８】
前記第二刀身２においては、上側把持部８に指当部１９が設けられ、下側刃部６に対しこの指当部１９が交差部３で屈曲部２０を介して連続し、この屈曲部２０の付近に挿通部２１が形成されている。この第二刀身２は、前記支軸４の回動中心線４ａに沿う幅方向Ｙで、この下側刃部６の幅寸法Ｗ６が前記上側刃部５の幅寸法Ｗ５及びこの指当部１９の幅寸法Ｗ１９と略同一（約１８ｍｍ）になるとともに、この指当部１９の幅寸法Ｗ１９が前記指当部９の幅寸法Ｗ９と略同一（約１８ｍｍ）になり、この挿通部２１の幅寸法Ｗ２１（約７ｍｍ）が前記交差孔１１の幅狭部１２の幅寸法Ｗ１２よりも極僅かに小さく、且つ、この下側刃部６の幅寸法Ｗ６及び指当部１９の幅寸法Ｗ１９よりも小さくなるように、下側刃部６の刃先部６ａから屈曲部２０を経て上側把持部８の尻端部８ａにわたり一連に、ステンレス鋼等の金属材料でプレス成形や鍛造や金属粉末射出成形（ＭＩＭ）等により一体形成されている。前記幅狭部１２から幅広部１３にわたる交差孔１１の長手方向長さは、この指当部１９の幅寸法Ｗ１９よりも長くなっている。
【００２９】
前記第一刀身１と第二刀身２とを互いに分離した状態から下記のようにして互いにＸ状に交差させて組み付けることができる。まず、図３（ａ）に示すように、第二刀身２の上側把持部８において、その幅方向Ｙを第一刀身１の屈曲部１０の幅方向Ｙに対し略直交するように配置し、その指当部１９を尻端部８ａ側から第一刀身１の屈曲部１０の交差孔１１に対しその幅狭部１２から幅広部１３にわたり挿入する。次に、図３（ｂ）に示すように、図３（ａ）の状態のまま、上側把持部８の指当部１９を交差孔１１に対しさらに挿入して交差孔１１から抜いた後、上側把持部８の挿通部２１を交差孔１１の幅狭部１２から幅広部１３にわたり挿入する。さらに、図３（ｃ）に示すように、上側把持部８の挿通部２１を交差孔１１で幅狭部１２側から幅広部１３側へ移動させて幅広部１３に挿入する。次に、図３（ｄ）に示すように、図３（ｃ）の状態のまま、上側把持部８の挿通部２１を交差孔１１の幅広部１３で９０度回動させて上側把持部８の幅方向Ｙを屈曲部１０の幅方向Ｙに略沿わせるように配置する。最後に、図３（ｅ）に示すように、上側把持部８の挿通部２１を交差孔１１の幅広部１３側から幅狭部１２側へ移動させ、上側把持部８を下側把持部７側に閉じるとともに下側刃部６を上側刃部５側に閉じ、第一刀身１の支持孔と第二刀身２の支持孔とを互いに一致させた後に、図１に示すように、それらの支持孔に支軸４を挿入し、第一刀身１と第二刀身２とを回動可能に支持して互いに組み付ける。
【００３０】
図１に示す組付け状態では、前記下側把持部７にある付勢手段１４の押圧体１８が前記上側把持部８を押し上げ、この上下両把持部８，７が互いに開くとともに、前記上下両刃部５，６の刃先部５ａ，６ａが互いに開く。この上下両把持部８，７の指当部１９，９を把持して押圧体１８の弾性力に抗して互いに閉じると、この上下両把持部８，７及び上下両刃部５，６が支軸４の回動中心線４ａを中心に互いに回動して閉動し、上下両刃先部５ａ，６ａが互いに接近して当接する。また、この上下両把持部８，７の指当部１９，９に対する把持力を解除すると、押圧体１８の弾性力により上下両把持部８，７及び上下両刃部５，６が支軸４の回動中心線４ａを中心に互いに回動して開動し、上下両刃先部５ａ，６ａが互いに離間する。
【００３１】
図１に示すように、前記両刀身１，２は下記の形態的特徴を有している。
第一刀身１においては、上側刃部５と下側把持部７との間の屈曲部１０でその長手方向両側の延設方向がいずれも湾曲部分１０ａにより上方へ湾曲しているため、上側刃部５の延設方向に対し下側把持部７の延設方向が上方へ屈曲し、上側刃部５の刃先部５ａと交差部３の回動中心線４ａとを結ぶ面Ｐ５よりも、この交差部３の回動中心線４ａと下側把持部７の尻端部７ａとを結ぶ面Ｑ７が上方に配置され、その面Ｐ５に対するその面Ｑ７がなす交差角度θ７５は３０度以上１５０度以下好ましくは４０度以上９０度以下に設定されている。従って、下側把持部７は、上側把持部８よりも下方に配置されるとともに、上側刃部５及び下側刃部６よりも上方に配置される。また、下側把持部７の延設方向はその尻端部７ａ側で指当部９の湾曲部分７ｂにより下方へ湾曲してその湾曲部分７ｂが前記面Ｑ７よりも上方へ膨らみ、屈曲部１０の湾曲部分１０ａの曲率半径は下側把持部７の湾曲部分７ｂの曲率半径よりも小さく設定されている。さらに、上側刃部５の刃先部５ａと交差部３の回動中心線４ａとの間の距離（約１６ｍｍ）よりも、この交差部３の回動中心線４ａと下側把持部７の尻端部７ａとの間の距離（約８０ｍｍ）の方が長くなっている。前記付勢手段１４は、この屈曲部１０の湾曲部分１０ａとこの湾曲部分７ｂとの間で、且つ、前記交差孔１１よりも尻端部７ａ側で、下側把持部７に設けられている。
【００３２】
第二刀身２においては、下側刃部６と上側把持部８との間の屈曲部２０でその長手方向両側の延設方向がいずれも湾曲部分２０ａにより上方へ湾曲しているため、下側刃部６の延設方向に対し上側把持部８の延設方向が上方へ屈曲し、下側刃部６の刃先部６ａと交差部３の回動中心線４ａとを結ぶ面Ｐ６よりも、この交差部３の回動中心線４ａと上側把持部８の尻端部８ａとを結ぶ面Ｑ８が上方に配置され、その面Ｐ６に対するその面Ｑ８がなす交差角度θ８６（＞θ７５）は３５度以上１６０度以下好ましくは４５度以上１００度以下に設定されている。その面Ｐ６に対する前記面Ｑ７がなす交差角度θ７６（＜θ７５）は３０度以上１５０度以下好ましくは３５度以上８０度以下に設定されている。従って、上側把持部８は、下側把持部７よりも上方に配置されるとともに、下側刃部６及び上側刃部５よりも上方に配置される。また、上側把持部８の延設方向は、下側把持部７の延設方向と同様に、その尻端部８ａ側で指当部１９の湾曲部分８ｂにより下方へ湾曲してその湾曲部分８ｂが前記面Ｑ８よりも上方へ膨らみ、屈曲部２０の湾曲部分２０ａの曲率半径は上側把持部８の湾曲部分８ｂの曲率半径よりも小さく設定されている。さらに、下側刃部６の刃先部６ａと交差部３の回動中心線４ａとの間の距離（約１６ｍｍ）よりも、この交差部３の回動中心線４ａと上側把持部８の尻端部８ａとの間の距離（約８０ｍｍ）の方が長くなっている。
【００３３】
本実施形態は下記の効果を有する。
＊  図４（ａ）に示す使用状態では、床等の障害物２２に載せた足の指の爪２３を、床等の障害物２２に近付けた上下両刃部５，６の刃先部５ａ，６ａ間に挿入した後に、上下両把持部８，７を手指により把持して開閉操作すると、上下両刃先部５ａ，６ａが開閉して爪２３を切ることができる。その際、爪２３の伸長方向に対し上下両把持部８，７は上方に配置されて床等の障害物２２との間で大きな隙間Ｓを生じるため、その上下両把持部８，７を把持した手指が床等の障害物２２に当りにくくなって上下両把持部８，７を操作し易い。また、上下両把持部８，７が床等の障害物２２から上方に配置されて使用者に近付くため、使用者は手を必要以上に伸ばさなくても上下両把持部８，７を把持することができ、特に使用者が妊婦やお腹の出た人の場合、上下両把持部８，７を操作し易い。
【００３４】
＊   図４（ｂ）に示す使用状態では、下側刃部６を上方に配置するとともに上側刃部５を下方に配置した状態で、手の指の爪２４を上下両刃部５，６の刃先部５ａ，６ａ間に挿入した後に、上下両把持部８，７を手指により把持して開閉操作すると、上下両刃先部５ａ，６ａが開閉して爪２４を切ることができる。その際、手の指の爪２４の伸長方向に対し上下両把持部８，７は下方に配置されて傾斜するため、使用者は必要以上に手を上げたり肘を曲げたりしなくても上下両把持部８，７を把持することができ、上下両把持部８，７を操作し易い。
【００３５】
前記実施形態以外にも例えば下記のように構成してもよい。
・  図５（ａ）及び図５（ｂ）に示す爪切りにおいては、いずれも、上下両刃部５，６に刃先部５ａ，６ａの付近で支軸２５が挿着され、上側刃部５上でその支軸２５に押圧操作てことしての上側把持部８がピン２５ａにより支持されてそのピン２５ａから上方へ配置されている。図５（ａ）に示す爪切りにおいては、この上下両刃部５，６の尻端部５ｂ，６ｂから延設さて互いに重合された下側把持部７が屈曲部１０で上方へ屈曲されて上下両刃部５，６の上方へ配置されている。この上側把持部８及び下側把持部７には指当部２６が設けられている。図５（ｂ）に示す爪切りにおいては、この上下両刃部５，６で互いに重合された尻端部５ｂ，６ｂ側上に環状の下側把持部７が取着されている。この上側把持部８に指当部２６が設けられているとともに、この下側把持部７の内側に指掛環２７が設けられている。
【００３６】
・  前記交差孔１１については、例えば、幅広部１３を幅狭部１２の端部に対し上側刃部５側で連続させたり、幅広部１３を幅狭部１２の長手方向中央部に設けたりして、幅狭部１２と幅広部１３との位置関係を変更してもよい。また、例えば、幅狭部１２を省略して幅広部１３のみにより交差孔１１を形成して、交差孔１１の形状を変更してもよい。
【００３７】
・  前記付勢手段１４における圧縮コイルばね１７に代えて、他のばねを利用してもよい。
・  前記両刀身１，２において、それらを一体成形せずに、刃部５，６を金属で形成するとともに把持部７，８を樹脂で形成して、その刃部５，６と把持部７，８とを互いに組み付けてもよい。
【００３８】
・  前記両刀身１，２において、指の当る面を粗面仕上げとして滑止め手段を施し、そのほかの部分を鏡面仕上げとしてもよい。
・  前記両刀身１，２の上下両刃部５，６間における幅方向Ｙの両側を爪飛散防止カバーにより塞いでもよい。
【００３９】
・  前記上下両刃先部５ａ，６ａの当接時において両刀身１，２の長手方向へのそれらの間のずれ量（かぶり量）については、前記実施形態のようにゼロにしたり、または、その長手方向の両側向きで０．２ｍｍ程度設定してもよい。
【００４０】
・  前記上下両刃先部５ａ，６ａには、強化のためにダイヤモンドやチタン合金等の被覆処理（被膜処理）を施したり、窒化や炭化等による表面硬化処理を施してもよい。また、ふっ素樹脂等のコーティングを上下両刃先部５ａ，６ａに施して爪や爪かす等による汚れを防止するようにしてもよい。
【００４１】
・  前記交差部３の付近に刃部５，６や把持部７，８の開きを規制する開き規制手段を設けてもよい。
【図面の簡単な説明】
【００４２】
【図１】本発明の一実施形態にかかる爪切りにおいて上下両刃先の開状態を示す側面図である。
【図２】（ａ）は本実施形態にかかる爪切りにおいて上下両刃先の閉状態を示す側面図であり、（ｂ）は（ａ）の平面図であり、（ｃ）は（ａ）の底面図である。
【図３】（ａ）（ｂ）（ｃ）（ｄ）（ｅ）はそれぞれ本実施形態にかかる爪切りにおいて両刀身を分解状態から組み付ける手順を示す斜視図である。
【図４】（ａ）（ｂ）はそれぞれ使用状態を示す側面図である。
【図５】（ａ）（ｂ）はそれぞれ他の実施形態にかかる爪切りにおいて上下両刃先の開状態を示す側面図である。
【符号の説明】
【００４３】
１…第一刀身、２…第二刀身、３…交差部、４ａ…回動中心線、５…上側刃部、５ａ…刃先部、６…下側刃部、６ａ…刃先部、７…下側把持部、７ａ…尻端部、８…上側把持部、８ａ…尻端部、Ｐ５，Ｐ６…面、Ｑ７，Ｑ８…面、θ７５，θ７６，θ８６…交差角度。
【図１】
2009207819.tif 000003
【図２】
2009207819.tif 000004
【図３】
2009207819.tif 000005
【図４】
2009207819.tif 000006
【図５】
2009207819.tif 000007